(57)【要約】【課題】ユーザの操作利便性及び生産性を向上させると共にスリム化が可能なバッテリカバーロック装置及びこれを備える移動通信端末機を提供する。【解決手段】バッテリカバーロック装置は、電子機器の本体に着脱可能に設置されるバッテリの少なくとも一部分を覆うバッテリカバーに形成されるカバーロック部、及び本体に形成されてカバーロック部との係合によりバッテリカバーを本体に結合させる本体ロック部を備えるロックユニットと、本体ロック部に対応するようにバッテリカバーに装着され、押圧操作時に本体ロック部とカバーロック部とのロックが解除されるように本体ロック部を加圧して、バッテリカバーを本体から離脱させるロック解除ユニットとを含む。【選択図】図３
2007312352.tif 000002
【特許請求の範囲】
【請求項１】
電子機器の本体に着脱可能に設置されるバッテリの少なくとも一部分を覆うバッテリカバーに形成されるカバーロック部、及び前記本体に形成されて前記カバーロック部との係合により前記バッテリカバーを前記本体に結合させる本体ロック部を備えるロックユニットと、
前記本体ロック部に対応するように前記バッテリカバーに装着され、押圧操作時に前記本体ロック部と前記カバーロック部とのロックが解除されるように前記本体ロック部を加圧して、前記バッテリカバーを前記本体から離脱させるロック解除ユニットと、
を含むことを特徴とするバッテリカバーロック装置。
【請求項２】
前記カバーロック部が、前記バッテリカバーの幅方向に沿って延びるカバー突出壁を含むことを特徴とする請求項１に記載のバッテリカバーロック装置。
【請求項３】
前記カバーロック部が、前記カバー突出壁に実質的に垂直な方向に前記カバー突出壁から突出する少なくとも１つの支持リブをさらに含むことを特徴とする請求項２に記載のバッテリカバーロック装置。
【請求項４】
前記本体ロック部は、
前記本体の幅方向に沿って延びる本体突出壁と、
前記本体ロック部の外周の一部分を囲んで形成され、前記本体ロック部の変形を可能にする変形スリットと、
を含むことを特徴とする請求項２に記載のバッテリカバーロック装置。
【請求項５】
前記本体ロック部が、前記本体突出壁に実質的に垂直な方向に沿って前記本体突出壁から突出する少なくとも１つの支持リブをさらに含むことを特徴とする請求項４に記載のバッテリカバーロック装置。
【請求項６】
前記カバー突出壁が、前記本体突出壁に係合されるように対応して形成されて、前記本体ロック部と前記カバーロック部とを係合させることを特徴とする請求項４に記載のバッテリカバーロック装置。
【請求項７】
前記ロック解除ユニットは、
前記バッテリカバーの操作孔から前記バッテリカバーの外部に露出するように前記バッテリカバーに装着される操作ノブと、
前記バッテリカバーに前記操作ノブを結合させるように形成され、前記操作ノブを前記バッテリカバーに対して弾性的に移動可能にする結合部とを含み、
前記操作ノブが、所定の力が加えられたときに前記本体ロック部を加圧して、前記本体ロック部を前記カバーロック部から結合解除させるように構成されることを特徴とする請求項１に記載のバッテリカバーロック装置。
【請求項８】
前記結合部は、
前記操作ノブから延びる一端部を有する少なくとも１つのテンション部と、
前記少なくとも１つのテンション部の他端部と結合されるように前記バッテリカバーに突設されている少なくとも１つの結合リブと、
を含むことを特徴とする請求項７に記載のバッテリカバーロック装置。
【請求項９】
前記少なくとも１つのテンション部の他端部には、前記少なくとも１つの結合リブが挿入されて結合される結合孔が形成されることを特徴とする請求項８に記載のバッテリカバーロック装置。
【請求項１０】
前記操作ノブは、前記本体ロック部と対面するように突設され、前記操作ノブに力が加えられたときに前記本体ロック部を加圧する少なくとも１つの加圧突起を含むことを特徴とする請求項７に記載のバッテリカバーロック装置。
【請求項１１】
本体と、
前記本体に着脱可能に設置されるバッテリの少なくとも一部分を覆うバッテリカバーと、
前記バッテリカバーを前記本体に着脱可能に結合させるバッテリカバーロック装置とを含み、
前記バッテリカバーロック装置は、
前記バッテリカバーに形成されるカバーロック部、及び前記本体に形成されて前記カバーロック部との係合により前記バッテリカバーを前記本体に結合させる本体ロック部を備えるロックユニットと、
前記本体ロック部に対応するように前記バッテリカバーに装着され、押圧操作時に前記本体ロック部と前記カバーロック部とのロックが解除されるように前記本体ロック部を加圧して、前記バッテリカバーを前記本体から離脱させるロック解除ユニットと、
を含むことを特徴とする移動通信端末機。
【請求項１２】
前記カバーロック部が、前記バッテリカバーの幅方向に沿って延びるカバー突出壁を含むことを特徴とする請求項１１に記載の移動通信端末機。
【請求項１３】
前記カバーロック部が、前記カバー突出壁に実質的に垂直な方向に前記カバー突出壁から突出する少なくとも１つの支持リブをさらに含むことを特徴とする請求項１２に記載の移動通信端末機。
【請求項１４】
前記本体ロック部は、
前記本体の幅方向に沿って延びる本体突出壁と、
前記本体ロック部の外周の一部分を囲んで形成され、前記本体ロック部の変形を可能にする変形スリットと、
を含むことを特徴とする請求項１２に記載の移動通信端末機。
【請求項１５】
前記本体ロック部が、前記本体突出壁に実質的に垂直な方向に沿って前記本体突出壁から突出する少なくとも１つの支持リブをさらに含むことを特徴とする請求項１４に記載の移動通信端末機。
【請求項１６】
前記カバー突出壁が、前記本体突出壁に係合されるように対応して形成されて、前記本体ロック部と前記カバーロック部とを係合させることを特徴とする請求項１４に記載の移動通信端末機。
【請求項１７】
前記ロック解除ユニットは、
前記バッテリカバーの操作孔から前記バッテリカバーの外部に露出するように前記バッテリカバーに装着される操作ノブと、
前記バッテリカバーに前記操作ノブを結合させるように形成され、前記操作ノブを前記バッテリカバーに対して弾性的に移動可能にする結合部とを含み、
前記操作ノブが、所定の力が加えられたときに前記本体ロック部を加圧して、前記本体ロック部を前記カバーロック部から結合解除させるように構成されることを特徴とする請求項１１に記載の移動通信端末機。
【請求項１８】
前記結合部は、
前記操作ノブから延びる一端部を有する少なくとも１つのテンション部と、
前記少なくとも１つのテンション部の他端部と結合されるように前記バッテリカバーに突設されている少なくとも１つの結合リブと、
を含むことを特徴とする請求項１７に記載の移動通信端末機。
【請求項１９】
前記少なくとも１つのテンション部の他端部には、前記少なくとも１つの結合リブが挿入されて結合される結合孔が形成されることを特徴とする請求項１８に記載の移動通信端末機。
【請求項２０】
前記操作ノブは、前記本体ロック部と対面するように突設され、前記操作ノブに力が加えられたときに前記本体ロック部を加圧する少なくとも１つの加圧突起を含むことを特徴とする請求項１７に記載の移動通信端末機。
【発明の詳細な説明】
【技術分野】
【０００１】
本発明はバッテリカバーロック装置及びこれを備える移動通信端末機に関し、より詳しくは、本体に電源を供給するバッテリを保護するバッテリカバーを本体に結合するか、又は本体から分離するためのバッテリカバーロック装置及びこれを備える移動通信端末機に関する。
【背景技術】
【０００２】
バッテリは、各種電子機器の本体に装着されて、前記電子機器に電気を供給する電力源として使用されている。
【０００３】
このようなバッテリはその使用形態によって次の２つのタイプに大別される。
【０００４】
第１のタイプは、バッテリ（又は、充電セル）と該バッテリを覆うバッテリカバーとが一体に形成され、前記バッテリの端子が前記バッテリカバーの外部に露出するタイプのバッテリ（以下、ハードパックバッテリともいう）である。
【０００５】
第２のタイプは、バッテリと該バッテリを覆って電子機器の本体に結合させるバッテリカバーとが独立して形成され、前記バッテリの端子が前記バッテリカバーに関係なく前記バッテリ自体に形成されるタイプのバッテリ（以下、ソフトパックバッテリともいう）である。
【０００６】
前記ハードパックバッテリは、電子機器の本体への着脱など使用及び管理が容易であるが、その外形により他の種類やモデルの電子機器との互換が難しいという欠点があった。これに対して、前記ソフトパックバッテリは、別途のバッテリカバーを必要とするため電子機器の本体への着脱などは容易でないが、他の種類やモデルの電子機器との互換性が高いという利点があった。
【０００７】
このようなソフトパックバッテリのバッテリカバーを電子機器の本体に結合する方式は次の２つの方式に大別される。
【０００８】
第１の方式はフック方式であって、電子機器の本体とバッテリカバーに互いに対応するフックをそれぞれ形成してこれらを結合する方式である。このような結合を解除するためには、バッテリカバー全体を押してこれらフックを離隔させなければならない。
【０００９】
第２の方式はスプリングを使用する方式であって、電子機器の本体にスプリングにより付勢されるロッカを形成し、バッテリカバーには前記ロッカに結合されるフックを形成して結合する方式である。このような結合を解除するためには、前記スプリングの付勢力に対抗して前記ロッカを押すことで前記フックを分離しなければならない。
【発明の開示】
【発明が解決しようとする課題】
【００１０】
第１の方式においては、フックを分離するためにユーザがバッテリカバー全体を押さなければならないため、必要以上の力が要求されるという不便があった。
【００１１】
第２の方式においては、スプリングを使用することによって、スプリングのストロークを得るために前記スプリングを設置するための最小の厚さを確保しなければならない。これにより、電子機器の本体のスリム化に限界があった。さらに、バッテリカバーはバッテリの容量によって前記本体との間隔が変化するが、前記ロッカは前記本体側に形成されてその形態が変化しない。これにより、前記ロッカが所定容量のバッテリに合わせて製造された場合、他の容量のバッテリの装着時には、前記ロッカと前記バッテリとが両者の結合関係の違いにより正確に結合されない。また、前記本体などの大部分が射出物で製造されるが、スプリングはそうでない。これにより、スプリングを別途に準備しなければならず、材料費及び管理費が増加し、前記電子機器全体の生産性が低下する。さらに、前記ロッカが前記本体に装着されており、一方の手では前記ロッカを操作し、もう一方の手では前記バッテリカバーを前記本体から分離しなければならないため、その操作が面倒であった。
【００１２】
本発明は、このような従来技術の問題を解決するためになされたもので、ユーザの操作利便性及び生産性を向上させると共にスリム化が可能なバッテリカバーロック装置及びこれを備える移動通信端末機を提供することを目的とする。
【課題を解決するための手段】
【００１３】
上記の目的を達成するために、本発明の一態様によるバッテリカバーロック装置は、電子機器の本体に着脱可能に設置されるバッテリの少なくとも一部分を覆うバッテリカバーに形成されるカバーロック部、及び前記本体に形成されて前記カバーロック部との係合により前記バッテリカバーを前記本体に結合させる本体ロック部を備えるロックユニットと、前記本体ロック部に対応するように前記バッテリカバーに装着され、押圧操作時に前記本体ロック部と前記カバーロック部とのロックが解除されるように前記本体ロック部を加圧して、前記バッテリカバーを前記本体から離脱させるロック解除ユニットとを含む。
【００１４】
本発明の他の態様による移動通信端末機は、前記バッテリカバーロック装置を備える。
【００１５】
上記目的を達成するために、本発明は、例えば、以下の手段を提供する。
（項目１）
電子機器の本体に着脱可能に設置されるバッテリの少なくとも一部分を覆うバッテリカバーに形成されるカバーロック部、及び上記本体に形成されて上記カバーロック部との係合により上記バッテリカバーを上記本体に結合させる本体ロック部を備えるロックユニットと、
上記本体ロック部に対応するように上記バッテリカバーに装着され、押圧操作時に上記本体ロック部と上記カバーロック部とのロックが解除されるように上記本体ロック部を加圧して、上記バッテリカバーを上記本体から離脱させるロック解除ユニットと、
を含むことを特徴とするバッテリカバーロック装置。
（項目２）
上記カバーロック部が、上記バッテリカバーの幅方向に沿って延びるカバー突出壁を含むことを特徴とする項目１に記載のバッテリカバーロック装置。
（項目３）
上記カバーロック部が、上記カバー突出壁に実質的に垂直な方向に上記カバー突出壁から突出する少なくとも１つの支持リブをさらに含むことを特徴とする項目２に記載のバッテリカバーロック装置。
（項目４）
上記本体ロック部は、
上記本体の幅方向に沿って延びる本体突出壁と、
上記本体ロック部の外周の一部分を囲んで形成され、上記本体ロック部の変形を可能にする変形スリットと、
を含むことを特徴とする項目２に記載のバッテリカバーロック装置。
（項目５）
上記本体ロック部が、上記本体突出壁に実質的に垂直な方向に沿って上記本体突出壁から突出する少なくとも１つの支持リブをさらに含むことを特徴とする項目４に記載のバッテリカバーロック装置。
（項目６）
上記カバー突出壁が、上記本体突出壁に係合されるように対応して形成されて、上記本体ロック部と上記カバーロック部とを係合させることを特徴とする項目４に記載のバッテリカバーロック装置。
（項目７）
上記ロック解除ユニットは、
上記バッテリカバーの操作孔から上記バッテリカバーの外部に露出するように上記バッテリカバーに装着される操作ノブと、
上記バッテリカバーに上記操作ノブを結合させるように形成され、上記操作ノブを上記バッテリカバーに対して弾性的に移動可能にする結合部とを含み、
上記操作ノブが、所定の力が加えられたときに上記本体ロック部を加圧して、上記本体ロック部を上記カバーロック部から結合解除させるように構成されることを特徴とする項目１に記載のバッテリカバーロック装置。
（項目８）
上記結合部は、
上記操作ノブから延びる一端部を有する少なくとも１つのテンション部と、
上記少なくとも１つのテンション部の他端部と結合されるように上記バッテリカバーに突設されている少なくとも１つの結合リブと、
を含むことを特徴とする項目７に記載のバッテリカバーロック装置。
（項目９）
上記少なくとも１つのテンション部の他端部には、上記少なくとも１つの結合リブが挿入されて結合される結合孔が形成されることを特徴とする項目８に記載のバッテリカバーロック装置。
（項目１０）
上記操作ノブは、上記本体ロック部と対面するように突設され、上記操作ノブに力が加えられたときに上記本体ロック部を加圧する少なくとも１つの加圧突起を含むことを特徴とする項目７に記載のバッテリカバーロック装置。
（項目１１）
本体と、
上記本体に着脱可能に設置されるバッテリの少なくとも一部分を覆うバッテリカバーと、
上記バッテリカバーを上記本体に着脱可能に結合させるバッテリカバーロック装置とを含み、
上記バッテリカバーロック装置は、
上記バッテリカバーに形成されるカバーロック部、及び上記本体に形成されて上記カバーロック部との係合により上記バッテリカバーを上記本体に結合させる本体ロック部を備えるロックユニットと、
上記本体ロック部に対応するように上記バッテリカバーに装着され、押圧操作時に上記本体ロック部と上記カバーロック部とのロックが解除されるように上記本体ロック部を加圧して、上記バッテリカバーを上記本体から離脱させるロック解除ユニットと、
を含むことを特徴とする移動通信端末機。
（項目１２）
上記カバーロック部が、上記バッテリカバーの幅方向に沿って延びるカバー突出壁を含むことを特徴とする項目１１に記載の移動通信端末機。
（項目１３）
上記カバーロック部が、上記カバー突出壁に実質的に垂直な方向に上記カバー突出壁から突出する少なくとも１つの支持リブをさらに含むことを特徴とする項目１２に記載の移動通信端末機。
（項目１４）
上記本体ロック部は、
上記本体の幅方向に沿って延びる本体突出壁と、
上記本体ロック部の外周の一部分を囲んで形成され、上記本体ロック部の変形を可能にする変形スリットと、
を含むことを特徴とする項目１２に記載の移動通信端末機。
（項目１５）
上記本体ロック部が、上記本体突出壁に実質的に垂直な方向に沿って上記本体突出壁から突出する少なくとも１つの支持リブをさらに含むことを特徴とする項目１４に記載の移動通信端末機。
（項目１６）
上記カバー突出壁が、上記本体突出壁に係合されるように対応して形成されて、上記本体ロック部と上記カバーロック部とを係合させることを特徴とする項目１４に記載の移動通信端末機。
（項目１７）
上記ロック解除ユニットは、
上記バッテリカバーの操作孔から上記バッテリカバーの外部に露出するように上記バッテリカバーに装着される操作ノブと、
上記バッテリカバーに上記操作ノブを結合させるように形成され、上記操作ノブを上記バッテリカバーに対して弾性的に移動可能にする結合部とを含み、
上記操作ノブが、所定の力が加えられたときに上記本体ロック部を加圧して、上記本体ロック部を上記カバーロック部から結合解除させるように構成されることを特徴とする項目１１に記載の移動通信端末機。
（項目１８）
上記結合部は、
上記操作ノブから延びる一端部を有する少なくとも１つのテンション部と、
上記少なくとも１つのテンション部の他端部と結合されるように上記バッテリカバーに突設されている少なくとも１つの結合リブと、
を含むことを特徴とする項目１７に記載の移動通信端末機。
（項目１９）
上記少なくとも１つのテンション部の他端部には、上記少なくとも１つの結合リブが挿入されて結合される結合孔が形成されることを特徴とする項目１８に記載の移動通信端末機。
（項目２０）
上記操作ノブは、上記本体ロック部と対面するように突設され、上記操作ノブに力が加えられたときに上記本体ロック部を加圧する少なくとも１つの加圧突起を含むことを特徴とする項目１７に記載の移動通信端末機。
【発明の効果】
【００１６】
本発明の一態様によるバッテリカバーロック装置は、ロック解除ユニットがバッテリカバーに装着されることによって、片手でもバッテリカバーを本体から分離できるなど、ユーザの操作利便性を向上させる。
【００１７】
また、ロック解除ユニットがバッテリカバーに装着されることによって、バッテリの容量によって異なるサイズを有するバッテリカバーのそれぞれに異なるサイズを有するロック解除ユニットが備えられて、バッテリカバーのサイズに関係なく本体とバッテリカバー間の構造的な結合を最適の状態に維持できる。
【００１８】
さらに、操作ノブとテンション部をプラスチック樹脂で射出して製造するなどして、別途のスプリングを備えなくてもよいため、スプリングのストロークを確保するための空間などを必要とせず、端末機本体をスリム化できると共に、テンション部により付勢力が提供されて操作ノブの操作利便性も阻害しない。
【００１９】
本発明の他の態様による移動通信端末機は、前述したバッテリカバーロック装置を備えることにより、スリム化が可能であると共に操作利便性が向上し、その外観の整合性が向上する。さらに、生産方式が単純になり、部品管理が容易になり、その生産性が向上する。
【発明を実施するための最良の形態】
【００２０】
以下、本発明によるバッテリカバーロック装置及びこれを備える移動通信端末機の好ましい実施形態について添付図面を参照して詳細に説明する。
【００２１】
図１は本発明の一態様による移動通信端末機の一実施形態を示す正面斜視図であり、図２は図１の移動通信端末機の背面斜視図である。
【００２２】
図１に示すように、本発明の一実施形態による移動通信端末機は、端末機本体１００と、これに着脱可能に結合されるバッテリカバー２００とを含む。
【００２３】
端末機本体１００は、ストレート型移動通信端末機のもので、前面の上部にはディスプレイ１１０を備え、下部には入力ユニット１２０を備える。ディスプレイ１１０は、視覚情報を出力するためのもので、例えば、ＬＣＤ（Liquid  Crystal  Display）である。また、入力ユニット１２０は、ユーザが各種数字や文字などを端末機本体１００の制御ユニット（図示せず）に入力するためのもので、例えば、押圧操作により信号を発生するキーボタンである。さらに、端末機本体１００の所定位置には、音を入力するためのマイク１３０、音を出力するためのスピーカ１４０、及び端末機本体１００の無線通信のための周波数の送受信を担当するアンテナ１５０がそれぞれ装着される。
【００２４】
バッテリカバー２００は、端末機本体１００の背面に形成されたバッテリ収容部１６０に収容されるバッテリ（図示せず）を覆って保護するように、端末機本体１００に着脱可能に結合される。
【００２５】
このようなバッテリカバー２００の端末機本体１００への着脱は、本発明の他の態様によるバッテリカバーロック装置により達成される。
【００２６】
図２に示すように、前記バッテリカバーロック装置の一部である操作ノブ４１０は、バッテリカバー２００の操作孔２１０から外部に露出するようにバッテリカバー２００に装着される。さらに、操作ノブ４１０には、ユーザが親指の爪などをかけて操作ノブ４１０を押すと同時に引っ張ることのできるように、操作グルーブ４１１が形成される。
【００２７】
以下、このようなバッテリカバーロック装置について図３〜図６を参照してより詳細に説明する。
【００２８】
図３は図２の分解斜視図であり、本発明の他の態様によるバッテリカバーロック装置の一実施形態を示す。
【００２９】
同図に示すように、本発明の一実施形態によるバッテリカバーロック装置は、ロックユニット３００と、ロック解除ユニット４００とを含む。さらに、バッテリＢは、端末機本体１００の背面に形成されたバッテリ収容部１６０に装着された状態で、端末機本体１００と電気的に接続される。また、端末機本体１００のバッテリ収容部１６０を限定する部分に形成された少なくとも１つの締結凹部１０１には、バッテリカバー２００において締結凹部１０１に対応する位置に突設された少なくとも１つの締結凸部２０１が結合されて、バッテリカバー２００の端末機本体１００への結合状態の維持を補助する。
【００３０】
ロックユニット３００は、端末機本体１００とバッテリカバー２００との結合状態を維持するための構成である。このようなロックユニット３００は、端末機本体１００に形成される本体ロック部３１０と、バッテリカバー２００に形成されるカバーロック部３２０とから構成される。本体ロック部３１０とカバーロック部３２０とは、対応する位置に形成されて係止されることによって、端末機本体１００とバッテリカバー２００との結合状態（図２の状態）を維持する。
【００３１】
ロック解除ユニット４００は、端末機本体１００とバッテリカバー２００との結合状態を解除してこれらを分離するための構成である。ロック解除ユニット４００は、バッテリカバー２００に装着され、ユーザの押圧操作時に本体ロック部３１０を加圧して、本体ロック部３１０をカバーロック部３２０から遠ざかるように変形（移動）させる。これにより、ロック解除ユニット４００は、本体ロック部３１０とカバーロック部３２０との結合を解除して、バッテリカバー２００を端末機本体１００から分離させる。
【００３２】
以下、このようなロックユニット３００及びロック解除ユニット４００について図４及び図５を参照してより詳細に説明する。
【００３３】
図４は図３の本体ロック部の拡大斜視図であり、図５は図３のカバーロック部の拡大斜視図である。
【００３４】
図４（及び図５）に示すように、本体ロック部３１０は、端末機本体１００の幅方向に沿って突設される本体突出壁３１１を含む。また、本体突出壁３１１には、略垂直な方向に少なくとも１つの支持リブを含む支持部３１３が突設されて、本体突出壁３１１の構造的な強度を補強する。
【００３５】
変形スリット３１５が本体ロック部３１０の所定部分を除いた外周を囲むように開口形成されており、本体ロック部３１０の前記所定部分のみが端末機本体１００に連結される。このような変形スリット３１５により、本体ロック部３１０は、ロック解除ユニット４００の操作ノブ４１０を加圧すると、端末機本体１００に対してカンチレバー運動する。これにより、本体ロック部３１０をカバーロック部３２０から離隔させるためのユーザの操作ノブ４１０の押圧操作がより容易になる。
【００３６】
また、端末機本体１００と本体ロック部３１０の連結部には少なくとも１つの支持突起３１７が形成されており、端末機本体１００と本体ロック部３１０の連結部の強度を補強する。さらに、支持突起３１７は、端末機本体１００に結合されるバッテリカバー２００を支持する役割も果たす。
【００３７】
図５（及び図４）に示すように、カバーロック部３２０は、バッテリカバー２００の一端部付近に形成され、本体ロック部３１０の本体突出壁３１１に対応するようにバッテリカバー２００の幅方向に沿って突設されるカバー突出壁３２１を含む。また、カバー突出壁３２１には、略垂直な方向に少なくとも１つの支持リブを含む支持部３２３が突設されて、カバー突出壁３２１を構造的に支持する。
【００３８】
ロック解除ユニット４００は、操作ノブ４１０と、結合部４２０とを含む。
【００３９】
操作ノブ４１０は、バッテリカバー２００の操作孔２１０から外部に露出し、ユーザが押圧操作できるようにバッテリカバー２００に装着される。このような操作ノブ４１０は、前述したように、ユーザの押圧操作により本体ロック部３１０を加圧して、本体ロック部３１０をカバーロック部３２０から離隔させる。
【００４０】
操作ノブ４１０には少なくとも１つの加圧突起４１３が突設されており、操作ノブ４１０の押圧操作時に本体ロック部３１０を加圧する。ここで、加圧突起４１３の高さは、バッテリカバー２００と本体ロック部３１０間の間隔によって決定される。これにより、操作ノブ４１０は、前記間隔の長短（バッテリカバー２００が小容量バッテリのためのものであるか、大容量バッテリのためのものであるか）に拘らず、本体ロック部３１０と構造的に最適の配置関係を形成できる。また、加圧突起４１３は、本体ロック部３１０の支持部３１３の支持リブの間に配置されるように、所定の間隔を有して配列される。
【００４１】
結合部４２０は、操作ノブ４１０がバッテリカバー２００に押圧操作可能に弾性結合されるように、バッテリカバー２００に弾性変形（移動）可能に結合される。このような結合部４２０は、操作ノブ４１０から延びる少なくとも１つのテンション部４２１と、テンション部４２１をバッテリカバー２００に結合するための結合リブ４２２とを含む。
【００４２】
テンション部４２１は、操作ノブ４１０の両側からそれぞれ延びる一対で形成され、延長部分中にはその延長方向を曲げる折曲部４２１ａを有することが好ましい。これは操作ノブ４１０の押圧操作によるテンション部４２１の弾性変形及び元の状態への復帰を容易にするためである。さらに、テンション部４２１の端部には、バッテリカバー２００の結合リブ４２２が挿入される結合孔４２１ｂが形成される。テンション部４２１は、その結合孔４２１ｂに結合リブ４２２が挿入されて熱溶着により結合されることによって、バッテリカバー２００に装着される。
【００４３】
このようなロック解除ユニット４００は、プラスチック射出により一体に形成されることが好ましい。つまり、結合部４２０のテンション部４２１と操作ノブ４１０とが一体に形成され、結合部４２０の結合リブ４２２とバッテリカバー２００とが一体に形成されるのである。これにより、テンション部４２１が操作ノブ４１０の弾性変形のための付勢力を提供するため、スプリングなどの別途の付勢部材を備えなくてもよい。また、ロック解除ユニット４００が一体に形成されることによって、部品管理が単純になり、製造工程が簡単になるという利点もある。さらに、別途のスプリングを備えなくてもよいため、スプリングのストロークを確保するための空間を必要とせず、端末機本体１００をスリム化できる。
【００４４】
以下、このようなバッテリカバーロック装置の結合及び分離方式について図６を参照して説明する。
【００４５】
図６は端末機本体とバッテリカバーとの結合状態を説明するための図２のＶＩ−ＶＩ線断面図であり、図７は図６の操作ノブが押圧操作されてバッテリカバーが端末機本体から分離される状態を示す断面図である。
【００４６】
図６に示すように、端末機本体１００にバッテリカバー２００を結合する場合、締結凹部１０１と締結凸部２０１（図３参照）とが結合されると共に、カバーロック部３２０のカバー突出壁３２１が本体ロック部３１０の支持部３１３を乗り越えて本体突出壁３１１に係止される。このように、バッテリカバー２００のカバーロック部３２０が端末機本体１００の本体ロック部３１０に係止され、かつ締結凹部１０１と締結凸部２０１とが結合されることによって、バッテリカバー２００は端末機本体１００に結合された状態を維持する。
【００４７】
次に、バッテリカバー２００を端末機本体１００から分離する場合は、図７に示すように、操作ノブ４１０を押圧方向Ｐに押圧操作した状態で、バッテリカバー２００を端末機本体１００から引っ張って分離させればよい。このとき、端末機本体１００を一方の手で持ち、端末機本体１００を持った手の親指を操作ノブ４１０の操作グルーブ４１１にかけてバッテリカバー２００を引っ張ると、片手でもバッテリカバー２００を端末機本体１００から容易に分離できる。
【００４８】
具体的に説明すると、前述のような操作ノブ４１０の押圧操作により、操作ノブ４１０の加圧突起４１３は、本体ロック部３１０の支持部３１３を形成する支持リブの間に整列された状態で本体ロック部３１０を加圧する。これにより、本体ロック部３１０は、端末機本体１００との連結部（つまり、支持突起３１７が形成された部分）を中心にカンチレバー運動して、カバーロック部３２０から遠ざかるように弾性変形される。つまり、本体突出壁３１１が旋回してカバー突出壁３２１から遠ざかることによって、本体突出壁３１１とカバー突出壁３２１の当接して係止される部分がなくなり、ユーザはバッテリカバー２００を端末機本体１００から引っ張ってバッテリカバー２００を分離できるようになる。
【００４９】
以上、本発明によるバッテリカバーロック装置及びこれを備える移動通信端末機について添付図面を参照して説明したが、本発明は本明細書に開示された実施形態と図面により限定されるものではなく、本発明の技術思想の範囲内で当業者により多様な変形が可能である。
【００５０】
例えば、本明細書ではストレート型移動通信端末機の端末機本体を例に挙げたが、本発明によるバッテリカバーロック装置がフリップ型、折り畳み型、スライド型など他のタイプの移動通信端末機にも適用可能であることは、当業者であれば容易に推考できるであろう。
【００５１】
また、本発明によるバッテリカバーロック装置は、移動通信端末機だけでなく、他の電子機器、例えば、カメラ、ＭＰ３プレーヤ、ＰＤＡ（Personal  Digital  Assistants）などにも適用可能である。
【００５２】
また、本明細書では本体ロック部３１０とカバーロック部３２０にそれぞれ対応する本体突出壁３１１とカバー突出壁３２１が形成される場合を説明したが、これらを形成せずに支持部３１３と支持部３２３とが直接係止されるように形成することもできる。さらに、操作ノブ４１０及びテンション部４２１はプラスチック射出に限定されるものではなく、弾性を有する素材であれば金属などの他の素材で製造することもできる。
【００５３】
ユーザの操作利便性及び生産性を向上させると共にスリム化が可能なバッテリカバーロック装置及びこれを備える移動通信端末機を提供する。
【００５４】
バッテリカバーロック装置は、電子機器の本体に着脱可能に設置されるバッテリの少なくとも一部分を覆うバッテリカバーに形成されるカバーロック部、及び本体に形成されてカバーロック部との係合によりバッテリカバーを本体に結合させる本体ロック部を備えるロックユニットと、本体ロック部に対応するようにバッテリカバーに装着され、押圧操作時に本体ロック部とカバーロック部とのロックが解除されるように本体ロック部を加圧して、バッテリカバーを本体から離脱させるロック解除ユニットとを含む。
【００５５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００５６】
【図１】本発明の一態様による移動通信端末機の一実施形態を示す正面斜視図である。
【図２】図１の移動通信端末機の背面斜視図である。
【図３】図２の分解斜視図であり、本発明の他の態様によるバッテリカバーロック装置の一実施形態を示す斜視図である。
【図４】図３の本体ロック部の拡大斜視図である。
【図５】図３のカバーロック部の拡大斜視図である。
【図６】端末機本体とバッテリカバーとの結合状態を説明するための図２のＶＩ−ＶＩ線断面図である。
【図７】図６の操作ノブが押圧操作されてバッテリカバーが端末機本体から分離される状態を示す断面図である。
【符号の説明】
【００５７】
１００  端末機本体
１６０  バッテリ収容部
２００  バッテリカバー
２１０  操作孔
３００  ロックユニット
３１０  本体ロック部
３２０  カバーロック部
４００  ロック解除ユニット
４１０  操作ノブ
４２０  結合部
【図１】
2007312352.tif 000003
【図２】
2007312352.tif 000004
【図３】
2007312352.tif 000005
【図４】
2007312352.tif 000006
【図５】
2007312352.tif 000007
【図６】
2007312352.tif 000008
【図７】
2007312352.tif 000009